(57)【要約】【課題】隣接するセル間のアップリンクとダウンリンクの不一致による干渉を回避するように無線リソースの割り当てを行なう。【解決手段】基地局側の干渉を低減したい場合、基地局側で干渉を起こす各部分において、ダウンリンク又はアップリンクのうちいずれか一方のサブフレームにＡＢＳを適用する。端末側の干渉を低減したい場合、端末側で干渉を起こす各部分において、端末の送受信のどちらか一方を停止する。基地局及び端末側の両方の干渉を低減したい場合には、基本的には、基地局間の干渉を低減するときと同じ部分を停止すればよい。【選択図】  図１０
2012249119.tif 000002
【特許請求の範囲】
【請求項１】
無線フレーム内におけるサブフレーム毎のアップリンクとダウンリンクへの割り当ての異なる複数のコンフィギュレーションが定義されたセルラー通信システムにおいて、隣接するセルで異なるコンフィギュレーションを使用するときに、前記隣接するセル間でコンフィギュレーションを切り替えるコンフィギュレーション切り換えステップと、
前記コンフィギュレーション切り換えステップによりコンフィギュレーションを切り替えた隣接セル間でアップリンクとダウンリンクの不一致が起きるサブフレームにおいて、前記隣接セル間の干渉を回避する干渉回避ステップと、
を有する無線リソース割当方法。
【請求項２】
前記干渉回避ステップでは、前記のコンフィギュレーションを切り替えた各隣接セルの基地局間でアップリンクとダウンリンクの不一致が起きるサブフレームにおいて、ダウンリンクのサブフレーム全体で基地局からの送信を停止し、又は、アップリンクのサブフレーム全体で基地局の受信を停止する、
請求項１に記載の無線リソース割当方法。
【請求項３】
前記干渉回避ステップでは、前記のコンフィギュレーションを切り替えた各隣接セルの端末間でアップリンクとダウンリンクの不一致が起きるサブフレームにおいて、ダウンリンクのサブフレームの前記不一致となる部分で端末の受信を停止し、又は、アップリンクのサブフレームの前記不一致となる部分で端末からの送信を停止する、
請求項１に記載の無線リソース割当方法。
【請求項４】
前記干渉回避ステップでは、前記のコンフィギュレーションを切り替えた一方のセル内の端末の１つのサブフレームが他方のセル内の端末の２つのサブフレームと不一致が起きる場合に、前記一方のセル内の端末の１つのサブフレームで送信又は受信を停止する、
請求項１に記載の無線リソース割当方法。
【請求項５】
前記セルラー通信システムでは、ダウンリンク信号の前半部分に制御信号ＰＤＣＣＨが割り当てられるとともに、アップリンク信号のシステム帯域幅の両端部分が制御信号ＰＵＣＣＨに割り当てられ、
前記干渉回避ステップでは、前記のコンフィギュレーションを切り替えた隣接セル間でアップリンクとダウンリンクの不一致が起きるサブフレームにおいて、前記制御信号ＰＤＣＣＨ及び前記制御信号ＰＵＣＣＨにおいて送受信を停止しないようにしながら、前記隣接セルの基地局間又は端末間での干渉を回避する、
請求項１に記載の無線リソース割当方法。
【請求項６】
前記干渉回避ステップでは、前記のコンフィギュレーションを切り替えた各隣接セルの基地局間でアップリンクとダウンリンクの不一致が起きるサブフレームにおいて、前記の不一致が起きるダウンリンクのサブフレーム全体にわたりシステム帯域幅の両端の前記制御信号ＰＵＣＣＨに割り当てられた部分での基地局からの送信を停止するとともに、前記の不一致が起きるアップリンクのサブフレーム全体にわたりシステム帯域の中央の前記制御信号ＰＵＣＣＨが割り当てられていない部分における基地局の受信を停止する、
請求項５に記載の無線リソース割当方法。
【請求項７】
前記干渉回避ステップでは、前記のコンフィギュレーションを切り替えた各隣接セルの端末間でアップリンクとダウンリンクの不一致が起きるサブフレームにおいて、ダウンリンクのサブフレームの前記の不一致が起きる部分のうちシステム帯域幅の両端の前記制御信号ＰＵＣＣＨに割り当てられた部分で端末の受信を停止するとともに、アップリンクのサブフレームの前記の不一致が起きる部分のシステム帯域幅の中央の前記制御信号ＰＵＣＣＨが割り当てられていない部分における端末からの送信を停止する、
請求項５に記載の無線リソース割当方法。
【請求項８】
前記の不一致が起きるダウンリンクのサブフレームのうちシステム帯域幅の両端の前記制御信号ＰＵＣＣＨに割り当てられた部分であっても、基地局は前記制御信号ＰＤＣＣＨが割り当てられた部分では送信を停止せず、
前記の不一致が起きるアップリンクのサブフレームのシステム帯域幅の両端のうち隣接セルで前記制御信号ＰＵＣＣＨに割り当てられた部分では基地局の受信を停止する、
請求項６に記載の無線リソース割当方法。
【請求項９】
前記複数のコンフィギュレーションを、ダウンリンクのサブフレームが増加する順番で、且つ、アップリンクのサブフレーム数が減少する順番にコンフィギュレーションの順番を並べ替える再配列ステップをさらに有し、
前記コンフィギュレーション切り換えステップでは、前記セルラー通信システムにおいて隣接するセルで異なるコンフィギュレーションを使用するときに、前記再配列ステップで並べ替えた順番に従って前記隣接するセル間でコンフィギュレーションを切り替える、
請求項１に記載の無線リソース割当方法。
【請求項１０】
前記再配列ステップでは、前記複数のコンフィギュレーションを、ダウンリンクのサブフレームが増加する順番を保ちながら、アップリンクのサブフレーム数が減少する順番でなくなることを許容して、隣接するコンフィギュレーション間でのアップリンクとダウンリンクの不一致が起きるサブフレーム数が減少するように、少なくとも一部のコンフィギュレーションの順番をさらに並べ替える、
請求項９に記載の無線リソース割当方法。
【請求項１１】
無線フレーム内におけるサブフレーム毎のアップリンクとダウンリンクへの割り当ての異なる複数のコンフィギュレーションが定義されたセルラー通信システムにおいて、隣接するセルで異なるコンフィギュレーションを使用するときに、前記隣接するセル間でコンフィギュレーションを切り替えるコンフィギュレーション切り換え部と、
前記コンフィギュレーション切り換え部によりコンフィギュレーションを切り替えた隣接セル間でアップリンクとダウンリンクの不一致が起きるサブフレームにおいて、前記隣接セル間の干渉を回避する干渉回避部と、
を具備する無線リソース割当装置。
【請求項１２】
無線フレーム内におけるサブフレーム毎のアップリンクとダウンリンクへの割り当ての異なる複数のコンフィギュレーションが定義されたセルラー通信システムにおいて、隣接するセルで異なるコンフィギュレーションを使用するときに、前記隣接するセル間でコンフィギュレーションを切り替え、
前記のコンフィギュレーションを切り替えた隣接セル間でアップリンクとダウンリンクの不一致が起きるサブフレームにおいて、前記隣接セル間の干渉を回避する、
通信システム。
【発明の詳細な説明】
【技術分野】
【０００１】
本明細書で開示する技術は、ＴＤＤで運用するセルラー・システムにおける無線リソースの割り当てを決定する無線リソース割当方法及び無線リソース割当装置、並びに通信システムに係り、特に、隣接するセルで異なるコンフィギュレーションを使用する際のアップリンクとダウンリンクの不一致による干渉を回避するように無線リソースの割り当てを行なう無線リソース割当方法及び無線リソース割当装置、並びに通信システムに関する。
【背景技術】
【０００２】
現在、３ＧＰＰ（Ｔｈｉｒｄ  Ｇｅｎｅｒａｔｏｉｎ  Ｐａｒｔｎｅｒｓｈｉｐ  Ｐｒｏｊｅｃｔ）では、ＩＴＵ（Ｉｎｔｅｒｎａｔｉｏｎａｌ  Ｔｅｌｅｃｏｍｍｕｎｉｃａｔｉｏｎ  Ｕｎｉｏｎ：国際電気通信連合）が策定した第３世代（３Ｇ）移動通信システムの世界標準「ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００」の標準化作業が行なわれている。３ＧＰＰが策定したデータ通信仕様の１つである「ＬＴＥ（Ｌｏｎｇ  Ｔｅｒｍ  Ｅｖｏｌｕｔｉｏｎ）」は、第４世代（４Ｇ）のＩＭＴ−Ａｄｖａｎｃｅｄを目指した長期的高度化システムであり、「３．９Ｇ（スーパー３Ｇ）」とも呼ばれる。４Ｇの特徴として、リレーやキャリア・アグリゲーションといった技術を用いて、最大通信速度やセル・エッジでの品質向上を実現できる点を挙げることができる。
【０００３】
ＬＴＥは、ＯＦＤＭ変調方式を基本とした通信方式であり、また、ダウンリンクの無線アクセス方式にはＯＦＤＭＡを採用する。ここで、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）は、複数のデータを「直交」すなわち互いに干渉し合わない周波数サブキャリアに割り当てるマルチキャリア方式であり、各サブキャリアについて逆ＦＦＴ（Ｆａｓｔ  Ｆｏｕｒｉｅｒ  Ｔｒａｎｓｆｏｒｍ）を行なうことで周波数軸での各サブキャリアを時間軸の信号に変換して伝送することができる。送信データを周波数が直交する複数のキャリアに分配して伝送するので、各キャリアの帯域が狭帯域となり、周波数利用効率が非常に高く、マルチパスにより遅延ひずみ（周波数選択性フェージング妨害）に強いという特徴がある。また、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）は、１つの通信局がＯＦＤＭ信号の全サブキャリアを占有するのではなく、周波数軸上のサブキャリアのセットを複数の通信局に割り当てて、複数の通信局でサブキャリアをシェアする多元接続方式である。複数のユーザーが、異なるサブキャリア、又は、異なるタイムスロットをそれぞれ使用すれば（すなわち、周波数方向と時間方向で分割多重することで）、干渉なく通信することができる。
【０００４】
また、ＬＴＥでは、ＦＤＤ（Ｆｒｅｑｕｅｎｃｙ  Ｄｉｖｉｓｉｏｎ  Ｄｕｐｌｅｘ）とＴＤＤ（Ｔｉｍｅ  Ｄｉｖｉｓｉｏｎ  Ｄｕｐｌｅｘ）の２通りの複信方式を選択することができる。
【０００５】
ＦＤＤでは、アップリンク専用の帯域とダウンリンク専用の帯域を用いる。アップリンク及びダウンリンクでは、それぞれ連続する１０個のサブフレームで構成される無線フレームのフォーマットを使用する。ここで言うアップリンクとは、ＵＥ（端末）からｅＮｏｄｅＢ（基地局）への通信のことであり、ダウンリンクとは、ｅＮｏｄｅＢからＵＥへの通信のことである。
【０００６】
ＴＤＤでも、連続する１０個のサブフレームで構成される無線フレームのフォーマットを使用する。但し、ＴＤＤでは、アップリンク及びダウンリンクで同一の帯域を用いて通信を行なう。このため、図２１に示すように、連続する１０個のサブフレーム＃０〜＃９で構成される無線フレームを、アップリンク用のサブフレームとダウンリンク用のサブフレームに割り当てて共用して使用する（同図中、「Ｄ」はダウンリンク用のサブフレームであることを示し、「Ｕ」はアップリンク用のサブフレームであることを示し、「Ｓ」はスペシャル・サブフレーム（後述）を示している）。
【０００７】
従来、ＬＴＥはＦＤＤでの運用が一般的であった。ところが、ＦＤＤは、アップリンクとダウンリンクをペアで周波数帯域を確保しなければならないという制約がある。一方、ＴＤＤでは、このような制約はなく、周波数帯を１バンド確保すればよいというメリットがある。
【０００８】
また、無線フレームにおけるアップリンクとダウンリンクの比較という観点で考察する。ＦＤＤでは、アップリンク用のバンドとダウンリンク用のバンドを２０ＭＨｚずつ確保した場合、アップリンクとダウンリンクの比率は１対１で固定となる。これに対し、ＴＤＤでは、２０ＭＨｚの帯域を１バンド確保した場合、上記のようにサブフレーム毎にアップリンクとダウンリンクに割り当てることにより、無線フレームにおけるアップリンクとダウンリンクの比率を変えることが可能である。
【０００９】
要言すれば、周波数の配置のし易さと、アップリンクとダウンリンクの比率を変え易いことから、ＴＤＤシステムの利用は今後増えていくことが予想されている。
【００１０】
ところが、ＴＤＤでは、ダウンリンクとアップリンクの切り換え時間を確保する必要がある。具体的には、サブフレームの割り当てをダウンリンクからアップリンクへ切り替える際に、「Ｓｐｅｃｉａｌ  Ｓｕｂｆｒａｍｅ（スペシャル・サブフレーム）」を入れる必要がある。ｅＮｏｄｅＢ側の立場に立って説明すると、ｅＮｏｄｅＢのダウンリンク信号は、空間での伝搬遅延と、ＵＥ内での処理遅延があるために、ＵＥでダウンリンク信号を受信完了するまで、フォーマットのダウンリンクの位置よりも遅延する。一方、ＵＥからのアップリンク信号が、フォーマットのアップリンクの位置までにｅＮｏｄｅＢに到達するようにするためには、ＵＥはフォーマットのアップリンクの位置よりも前もってアップリンク信号の送信を開始する必要がある。したがって、ダウンリンクのサブフレームとアップリンクのサブフレームの間に挿入されるスペシャル・サブフレームは、ダウンリンク信号の遅延分による領域（Ｄｏｗｎｌｉｎｋ  Ｐｉｌｏｔ  Ｔｉｍｅｓｌｏｔ：ＤｗＰＴＳ）と、アップリンク信号を前倒しで送信する分の領域（Ｕｐｌｉｎｋ  Ｐｉｌｏｔ  Ｔｉｍｅｓｌｏｔ：ＵｐＰＴＳ）と、これらの領域の間隙（Ｇａｐ  ｐｅｒｉｏｄ）として定義される。図２２には、図２１に示したコンフィギュレーションを使用する無線フレームの、サブフレーム＃０とサブフレーム＃２の間でダウンリンクからアップリンクへ切り換えるときに、サブフレーム＃１の後にスペシャル・サブフレームを挿入した例を示している。このように、ＴＤＤは、ダウンリンクとアップリンクの切り換え時（ダウンリンクからアップリンクへ切り換えるとき）にスペシャル・サブフレームを挿入する必要があるというデメリットがある。
【００１１】
例えば、アップリンク又はダウンリンクトラフィックに利用可能であるサブフレームの少なくとも１つが、アップリンクトラフィックに用いられる部分、ダウンリンクトラフィックに用いられる部分、ガード期間部分はアップリンク部分とダウンリンク部分との間にスケジュールされガード期間として用いられる部分を有するように構成され、３つの部分の少なくとも２つの継続期間が現在のシステムの必要性に適合するように変更可能であるセルラー通信システムについて提案がなされている（例えば、特許文献１を参照のこと）。
【００１２】
ＬＴＥのＴＤＤは、３ＧＰＰのＲｅｌ８で定義されている。無線フレーム内の各サブフレーム＃０〜＃９を、アップリンク用とダウンリンク用に割り当てて共用して使用することは既に述べた通りである。実際には、＃０と＃５のサブフレームは、ｅＮｏｄｅＢから同期信号を送信するために、常にダウンリンクに割り当てられるようになっている。図２３には、ＬＴＥ（ＴＳ３６．２１１  Ｔａｂｌｅ  ４．２−２）で定義されている、ＴＤＤの７つのコンフィギュレーション０〜６を示している。同図を参照すると、サブフレーム＃０はすべてのコンフィギュレーションでダウンリンクに固定、サブフレーム＃１はすべてのコンフィギュレーションでスペシャル・サブフレームに固定、サブフレーム＃２はすべてのコンフィギュレーションでアップリンクに固定、サブフレーム＃５はすべてのコンフィギュレーションでダウンリンクに固定である。また、サブフレーム＃６は、スペシャル・サブフレームが入る場合とダウンリンクが入る場合があり、サブフレーム＃３、＃４、＃７、＃８、＃９はそれぞれアップリンク又はダウンリンクのいずれかが入ることになる。
【００１３】
ＬＴＥのＴＤＤでは、図２３に示した７つのコンフィギュレーション０〜６が定義されているが、一般的には、１つのオペレーターがこの中から１つを使用することが想定されている。したがって、１つのオペレーターが、隣接するｅＮｏｄｅＢで異なるコンフィギュレーションを使用することは想定されていない。
【００１４】
２０１１年３月に米カンザスシティーで開催された３ＧＰＰのＰｌｅｎａｒｙ  Ｍｅｅｔｉｎｇでは、ＴＤＤの運用方法を、隣接するｅＮｏｄｅＢで異なるコンフィギュレーションを用いることにより干渉の問題を検討していくことが決定された。これにより、当業界が、隣接するｅＮｏｄｅＢにＴＤＤの異なるコンフィギュレーションを割り当てるという方向に動き出した、ということができる。
【００１５】
隣接するｅＮｏｄｅＢで異なるＴＤＤのコンフィギュレーションを使用すると、図２３からも分かるように、＃３、＃４、＃６〜＃９のうち少なくともいずれかのサブフレームの位置で、アップリンクとダウンリンクという異なる方向のリンクが割り当てられる、すなわち、アップリンクとダウンリンクの不一致が起きることになる。
【００１６】
図２４には、隣接するｅＮｏｄｅＢの同一のサブフレームの位置でアップリンクとダウンリンクという異なる方向のリンクが割り当てられたときの様子を示している。同図において、セル１ではｅＮｏｄｅＢからＵＥへダウンリンク信号を送信し、セル２ではＵＥからｅＮｏｄｅＢへアップリンク信号を送信している。セル１におけるダウンリンク時のｅＮｏｄｅＢからの送信信号が、隣接するセル２におけるアップリンク時のｅＮｏｄｅＢの受信信号に干渉を与えることが分かる。また、セル２におけるアップリンク時のＵＥからの送信信号は、隣接するセル１のダウンリンク時のＵＥの受信信号に干渉を与えることが分かる。同図では、セル内のｅＮｏｄｅＢとＵＥの間のダウンリンク又はアップリンクの送信信号を実線で示し、隣接セルへの干渉となる信号を点線で示している。
【００１７】
図２５には、比較的大きな地域同士で異なるＴＤＤのコンフィギュレーションを使用している様子を示している。例えば、千葉県と東京都の境でこのようにコンフィギュレーションを切り替える場合に相当する。同図中、左側の地域ではコンフィギュレーション０を使用し、右側の地域ではコンフィギュレーション１を使用しているものとする。図２３を再び参照すると、コンフィギュレーション０を使用する地域とコンフィギュレーション１を使用する地域が隣接する場合、＃４並びに＃９のサブフレームの位置において、アップリンクとダウンリンクの不一致が起きる。
【００１８】
図２５では、サブフレーム＃４において、コンフィギュレーション０を使用する左側の地域ではアップリンク（ＵＰ）が割り当てられ、コンフィギュレーション１を使用する右側の地域ではダウンリンク（ＤＮ）が割り当てられている様子が示されている。比較的大きな地域同士で異なるＴＤＤのコンフィギュレーションを使用すると、図２５中において太線で示すように、アップリンクとダウンリンクの不一致の境界面が比較的広域にわたる。そして、この不一致の境界面に沿って、ダウンリンク時のｅＮｏｄｅＢからの送信信号が隣接するｅＮｏｄｅＢのアップリンク時の受信信号に干渉を与えるとともに、アップリンク時のＵＥからの送信信号が隣接するセルのダウンリンク時のＵＥの受信信号に干渉を与えるという問題が起きる。
【００１９】
また、図２６には、異なるＴＤＤのコンフィギュレーションを使用するセルがスポット的に存在する様子を示している。同図中、コンフィギュレーション１を使用する地域内で、太線で示すセルのみがコンフィギュレーション０を使用しているものとする。コンフィギュレーション０を使用する地域とコンフィギュレーション１を使用する地域が隣接する場合、＃４並びに＃９のサブフレームの位置において、アップリンクとダウンリンクの不一致が起きる（同上）。図２６では、サブフレーム＃４において、コンフィギュレーション０を使用しアップリンク（ＵＰ）が割り当てられているスポット的なセルが、コンフィギュレーション１を使用しダウンリンク（ＤＮ）が割り当てられているセルで囲まれている。この場合、アップリンクとダウンリンクの不一致の問題が局所的に生じる。
【先行技術文献】
【特許文献】
【００２０】
【特許文献１】特表２０１０−５３９７８５号公報
【発明の概要】
【発明が解決しようとする課題】
【００２１】
本明細書で開示する技術の目的は、ＴＤＤで運用するセルラー・システムにおいて、隣接するセル間のアップリンクとダウンリンクの不一致による干渉を回避するように無線リソースの割り当てを好適に行なうことができる、優れた無線リソース割当方法及び無線リソース割当装置、並びに通信システムを提供することにある。
【００２２】
本明細書で開示する技術のさらなる目的は、無線フレームをサブフレーム毎にアップリンクとダウンリンクに割り当てた複数のコンフィギュレーションを定義するセルラー・システムにおいて、隣接するセルで異なるコンフィギュレーションを使用することに伴うアップリンクとダウンリンクの不一致による干渉を回避するように無線リソースの割り当てを好適に行なうことができる、優れた無線リソース割当方法及び無線リソース割当装置、並びに通信システムを提供することにある。
【課題を解決するための手段】
【００２３】
本願は、上記課題を参酌してなされたものであり、請求項１に記載の技術は、
無線フレーム内におけるサブフレーム毎のアップリンクとダウンリンクへの割り当ての異なる複数のコンフィギュレーションが定義されたセルラー通信システムにおいて、隣接するセルで異なるコンフィギュレーションを使用するときに、前記隣接するセル間でコンフィギュレーションを切り替えるコンフィギュレーション切り換えステップと、
前記コンフィギュレーション切り換えステップによりコンフィギュレーションを切り替えた隣接セル間でアップリンクとダウンリンクの不一致が起きるサブフレームにおいて、前記隣接セル間の干渉を回避する干渉回避ステップと、
を有する無線リソース割当方法である。
【００２４】
本願の請求項２に記載の技術によれば、請求項１に記載の無線リソース割当方法は、干渉回避ステップでは、前記のコンフィギュレーションを切り替えた各隣接セルの基地局間でアップリンクとダウンリンクの不一致が起きるサブフレームにおいて、ダウンリンクのサブフレーム全体で基地局からの送信を停止し、又は、アップリンクのサブフレーム全体で基地局の受信を停止するように構成されている。
【００２５】
本願の請求項３に記載の技術によれば、請求項１に記載の無線リソース割当方法は、干渉回避ステップでは、前記のコンフィギュレーションを切り替えた各隣接セルの端末間でアップリンクとダウンリンクの不一致が起きるサブフレームにおいて、ダウンリンクのサブフレームの前記不一致となる部分で端末の受信を停止し、又は、アップリンクのサブフレームの前記不一致となる部分で端末からの送信を停止するように構成されている。
【００２６】
本願の請求項４に記載の技術によれば、請求項１に記載の無線リソース割当方法は、干渉回避ステップでは、前記のコンフィギュレーションを切り替えた一方のセル内の端末の１つのサブフレームが他方のセル内の端末の２つのサブフレームと不一致が起きる場合に、前記一方のセル内の端末の１つのサブフレームで送信又は受信を停止するように構成されている。
【００２７】
本願の請求項５に記載の技術によれば、セルラー通信システムでは、ダウンリンク信号の前半部分に制御信号ＰＤＣＣＨが割り当てられるとともに、アップリンク信号のシステム帯域幅の両端部分が制御信号ＰＵＣＣＨに割り当てられている。そして、請求項１に記載の無線リソース割当方法は、干渉回避ステップでは、前記のコンフィギュレーションを切り替えた隣接セル間でアップリンクとダウンリンクの不一致が起きるサブフレームにおいて、前記制御信号ＰＤＣＣＨ及び前記制御信号ＰＵＣＣＨにおいて送受信を停止しないようにしながら、前記隣接セルの基地局間又は端末間での干渉を回避するように構成されている。
【００２８】
本願の請求項６に記載の技術によれば、請求項５に記載の無線リソース割当方法は、干渉回避ステップでは、前記のコンフィギュレーションを切り替えた各隣接セルの基地局間でアップリンクとダウンリンクの不一致が起きるサブフレームにおいて、前記の不一致が起きるダウンリンクのサブフレーム全体にわたりシステム帯域幅の両端の前記制御信号ＰＵＣＣＨに割り当てられた部分での基地局からの送信を停止するとともに、前記の不一致が起きるアップリンクのサブフレーム全体にわたりシステム帯域の中央の前記制御信号ＰＵＣＣＨが割り当てられていない部分における基地局の受信を停止するように構成されている。
【００２９】
本願の請求項７に記載の技術によれば、請求項５に記載の無線リソース割当方法は、干渉回避ステップでは、前記のコンフィギュレーションを切り替えた各隣接セルの端末間でアップリンクとダウンリンクの不一致が起きるサブフレームにおいて、ダウンリンクのサブフレームの前記の不一致が起きる部分のうちシステム帯域幅の両端の前記制御信号ＰＵＣＣＨに割り当てられた部分で端末の受信を停止するとともに、アップリンクのサブフレームの前記の不一致が起きる部分のシステム帯域幅の中央の前記制御信号ＰＵＣＣＨが割り当てられていない部分における端末からの送信を停止するように構成されている。
【００３０】
本願の請求項８に記載の技術によれば、請求項６に記載の無線リソース割当方法は、不一致が起きるダウンリンクのサブフレームのうちシステム帯域幅の両端の前記制御信号ＰＵＣＣＨに割り当てられた部分であっても、基地局は前記制御信号ＰＤＣＣＨが割り当てられた部分では送信を停止せず、また、不一致が起きるアップリンクのサブフレームのシステム帯域幅の両端のうち隣接セルで前記制御信号ＰＵＣＣＨに割り当てられた部分では基地局の受信を停止するように構成されている。
【００３１】
本願の請求項９に記載の技術によれば、請求項１に記載の無線リソース割当方法は、複数のコンフィギュレーションを、ダウンリンクのサブフレームが増加する順番で、且つ、アップリンクのサブフレーム数が減少する順番にコンフィギュレーションの順番を並べ替える再配列ステップをさらに有している。そして、コンフィギュレーション切り換えステップでは、前記セルラー通信システムにおいて隣接するセルで異なるコンフィギュレーションを使用するときに、前記再配列ステップで並べ替えた順番に従って前記隣接するセル間でコンフィギュレーションを切り替えるように構成されている。
【００３２】
本願の請求項１０に記載の技術によれば、請求項９に記載の無線リソース割当方法は、再配列ステップでは、前記複数のコンフィギュレーションを、ダウンリンクのサブフレームが増加する順番を保ちながら、アップリンクのサブフレーム数が減少する順番でなくなることを許容して、隣接するコンフィギュレーション間でのアップリンクとダウンリンクの不一致が起きるサブフレーム数が減少するように、少なくとも一部のコンフィギュレーションの順番をさらに並べ替えるように構成されている。
【００３３】
また、本願の請求項１１に記載の技術は、
無線フレーム内におけるサブフレーム毎のアップリンクとダウンリンクへの割り当ての異なる複数のコンフィギュレーションが定義されたセルラー通信システムにおいて、隣接するセルで異なるコンフィギュレーションを使用するときに、前記隣接するセル間でコンフィギュレーションを切り替えるコンフィギュレーション切り換え部と、
前記コンフィギュレーション切り換え部によりコンフィギュレーションを切り替えた隣接セル間でアップリンクとダウンリンクの不一致が起きるサブフレームにおいて、前記隣接セル間の干渉を回避する干渉回避部と、
を具備する無線リソース割当装置である。
【００３４】
また、本願の請求項１２に記載の技術は、
無線フレーム内におけるサブフレーム毎のアップリンクとダウンリンクへの割り当ての異なる複数のコンフィギュレーションが定義されたセルラー通信システムにおいて、隣接するセルで異なるコンフィギュレーションを使用するときに、前記隣接するセル間でコンフィギュレーションを切り替え、
前記のコンフィギュレーションを切り替えた隣接セル間でアップリンクとダウンリンクの不一致が起きるサブフレームにおいて、前記隣接セル間の干渉を回避する、
通信システムである。
【００３５】
但し、ここで言う「システム」とは、複数の装置（又は特定の機能を実現する機能モジュール）が論理的に集合した物のことを言い、各装置や機能モジュールが単一の筐体内にあるか否かは特に問わない。
【発明の効果】
【００３６】
本明細書で開示する技術によれば、ＴＤＤで運用するセルラー・システムにおいて、隣接するセル間のアップリンクとダウンリンクの不一致による干渉を回避するように無線リソースの割り当てを好適に行なうことができる、優れた無線リソース割当方法及び無線リソース割当装置、並びに通信システムを提供することができる。
【００３７】
また、本明細書で開示する技術によれば、無線フレームをサブフレーム毎にアップリンクとダウンリンクに割り当てた複数のコンフィギュレーションを定義するセルラー・システムにおいて、隣接するセルで異なるコンフィギュレーションを使用することに伴うアップリンクとダウンリンクの不一致による干渉を回避するように無線リソースの割り当てを好適に行なうことができる、優れた無線リソース割当方法及び無線リソース割当装置、並びに通信システムを提供することができる。
【００３８】
本明細書で開示する技術を適用したセルラー通信システムでは、異なるＴＤＤのコンフィギュレーションをトラフィックの状況に合わせて使用することが可能になるので、システム全体のスループットが向上する。
【００３９】
本明細書で開示する技術のさらに他の目的、特徴や利点は、後述する実施形態や添付する図面に基づくより詳細な説明によって明らかになるであろう。
【図面の簡単な説明】
【００４０】
【図１】図１は、ＬＴＥ（ＴＳ３６．２１１  Ｔａｂｌｅ  ４．２−２）で定義されているＴＤＤの７つのコンフィギュレーション０〜６を、ダウンリンクのサブフレーム数が増加する順番で、且つ、アップリンクのサブフレーム数が減少する順番で示した図である。
【図２】図２は、図１中で上下に隣接するコンフィギュレーションの間で、アップリンクとダウンリンクの不一致が起きるサブフレームを示した図である。
【図３】図３は、図２３中で上下に隣接するコンフィギュレーションの間でアップリンクとダウンリンクの不一致が起きるサブフレームを示した図である。
【図４】図４は、図１においてダウンリンクのサブフレーム数が同じであるコンフィギュレーション２と３の入れ替えを行なった場合を示した図である。
【図５】図５は、図４中で上下に隣接するコンフィギュレーションの間でアップリンクとダウンリンクの不一致が起きるサブフレームを示した図である。
【図６】図６は、コンフィギュレーション０を、ｅＮｏｄｅＢ側の立場に立って描き直した図である。
【図７】図７は、ダウンリンク信号の遅延分とアップリンク信号を前倒しで送信する分を考慮して、端末側の立場に立って、図５に示した各コンフィギュレーションを描き直した図である。
【図８】図８は、図７中で上下に隣接するコンフィギュレーションの間で、アップリンクとダウンリンクの不一致が起きるサブフレームを示した図である。
【図９】図９は、図５で隣接するコンフィギュレーションの間で干渉することが特定されたサブフレームで、ダウンリンクの基地局の送信を停止することによって干渉を避ける様子を示した図である。
【図１０】図１０は、端末側の立場に立って干渉部分を示した図８と、基地局側の立場に立って干渉部分を示した図５を併せて示した図である。
【図１１】図１１は、ダウンリンク信号のフォーマットを模式的に示した図である。
【図１２】図１２は、アップリンク信号のフォーマットを模式的に示した図である。
【図１３】図１３は、ダウンリンク信号の前半部分が隣接セルのアップリンク信号の後半のみと干渉している様子を示した図である。
【図１４】図１４は、ダウンリンク信号の前半部分が隣接セルのアップリンク信号の後半のみと干渉しているときに、アップリンク信号の後半にＡＢＳを設定するフォーマットを示した図である。
【図１５】図１５は、基地局の立場に立って、アップリンクに割り当てたサブフレーム全体にわたり、ＰＵＣＣＨの部分は停止しないようにＡＢＳを設定する例を示した図である。
【図１６】図１６は、端末の立場に立って、アップリンクに割り当てたサブフレームの後半だけに、ＰＵＣＣＨの部分は停止しないようにＡＢＳを設定する例を示した図である。
【図１７】図１７は、端末の立場に立って、アップリンクに割り当てたサブフレームの前半だけに、ＰＵＣＣＨの部分は停止しないようにＡＢＳを設定する例を示した図である。
【図１８】図１８は、図１５に示したＡＢＳの設定方法の代替案を示した図である。
【図１９】図１９は、本明細書で開示する技術を適用したセルラー通信システムにおいて、基地局（ｅＮｏｄｅＢ）として動作する通信装置の機能的構成を模式的に示した図である。
【図２０】図２０は、本明細書で開示する技術を適用したセルラー通信システムにおいて、端末（ＵＥ）として動作する通信装置の機能的構成を模式的に示した図である。
【図２１】図２１は、無線フレームの連続する１０個のサブフレーム＃０〜＃９をアップリンク用のサブフレームとダウンリンク用のサブフレームに割り当てて共用して使用する例を示した図である。
【図２２】図２２は、サブフレーム＃０とサブフレーム＃２の間でダウンリンクからアップリンクへ切り換えるときにスペシャル・サブフレームを挿入した例を示した図である。
【図２３】図２３は、ＬＴＥ（ＴＳ３６．２１１  Ｔａｂｌｅ  ４．２−２）で定義されているＴＤＤの７つのコンフィギュレーション０〜６を示した図である。
【図２４】図２４は、隣接するｅＮｏｄｅＢの同一のサブフレームの位置でアップリンクとダウンリンクという異なる方向のリンクが割り当てられた様子を示した図である。
【図２５】図２５は、比較的大きな地域同士で異なるＴＤＤのコンフィギュレーションを使用している様子を示した図である。
【図２６】図２６は、異なるＴＤＤのコンフィギュレーションを使用するセルがスポット的に存在する様子を示した図である。
【発明を実施するための形態】
【００４１】
以下、図面を参照しながら本明細書で開示する技術の実施形態について詳細に説明する。
【００４２】
図２３には、ＬＴＥ（ＴＳ３６．２１１  Ｔａｂｌｅ  ４．２−２）で定義されているＴＤＤの７つのコンフィギュレーション０〜６を示した。上述したように、サブフレーム＃０はすべてのコンフィギュレーションでダウンリンクに固定、サブフレーム＃１はすべてのコンフィギュレーションでスペシャル・サブフレームに固定、サブフレーム＃２はすべてのコンフィギュレーションでアップリンクに固定、サブフレーム＃５はすべてのコンフィギュレーションでダウンリンクに固定である。隣接するｅＮｏｄｅＢに異なるＴＤＤのコンフィギュレーションを使用すると、上記以外のサブフレーム＃３、＃４、＃６〜＃９において、アップリンクとダウンリンクの不一致が起き、干渉が生じる可能性がある。
【００４３】
オペレーターは、使用するコンフィギュレーションにより無線フレームにおけるアップリンクとダウンリンクの比率を変えることが可能である。以下の表１には、各コンフィギュレーションのダウンリンクのサブフレーム数とアップリンクのサブフレーム数を示している。
【００４４】
【表１】
2012249119.tif 000003
【００４５】
表１から、ＬＴＥ（ＴＳ３６．２１１  Ｔａｂｌｅ  ４．２−２）で定義されている、ＴＤＤの７つのコンフィギュレーション０〜６はダウンリンクのサブフレーム数若しくはアップリンクのサブフレーム数の順に並べられている訳でないことが分かる。ここで、コンフィギュレーション０〜６を、ダウンリンクのサブフレーム数が増加する順番で、且つ、アップリンクのサブフレーム数が減少する順番に並べ替えたものを、以下の表２に示す。
【００４６】
【表２】
2012249119.tif 000004
【００４７】
ここで、図２３に示したＬＴＥ（ＴＳ３６．２１１  Ｔａｂｌｅ  ４．２−２）で定義されているＴＤＤの７つのコンフィギュレーション０〜６を、表２に従って、ダウンリンクのサブフレーム数が増加する順番で、且つ、アップリンクのサブフレーム数が減少する順番に並べ替えてみる。その結果を図１に示している。
【００４８】
隣接するｅＮｏｄｅＢで異なるＴＤＤのコンフィギュレーションを使用するとき、図１に示した順番でのみ（すなわち、シリアル番号で０、６、１、３、２、４、５の順でのみ）、隣接するｅＮｏｄｅＢ間でコンフィギュレーションが切り替わるものとする。この場合、隣接するｅＮｏｄｅＢがそれぞれ使用するコンフィギュレーションは、図１中で上下に隣接するコンフィギュレーションの組み合わせ（すなわち、シリアル番号で０と６、６と１、１と３、３と２、２と４、４と５のいずれかの組み合わせ）となる。隣接するセル間では、無線フレーム内のアップリンクとダウンリンクの比率が緩やかに変化していくことになる。
【００４９】
隣接するｅＮｏｄｅＢに異なるＴＤＤのコンフィギュレーションを使用すると、サブフレーム＃３、＃４、＃６〜＃９において、アップリンクとダウンリンクの不一致が起き、干渉が生じる可能性がある。図２には、図１中で上下に隣接するコンフィギュレーションの間で、アップリンクとダウンリンクの不一致が起きるサブフレームを太線で囲って示している。図２によれば、コンフィギュレーション０とコンフィギュレーション６の間では、＃９のサブフレームでのみアップリンクとダウンリンクの不一致が起きるので、１個のサブフレームだけが干渉を起こすということができる。図１中で上下に隣接するコンフィギュレーションの間で（すなわち、シリアル番号で０と６、６と１、１と３、３と２、２と４、４と５の各コンフィギュレーションの組み合わせで）、干渉を起こすサブフレームの数を、以下の表３に示す。
【００５０】
【表３】
2012249119.tif 000005
【００５１】
表３を参照すると、隣接するｅＮｏｄｅＢにおいて、シリアル番号で、１と３、３と２、２と４の組み合わせのコンフィギュレーションを使用するときに、干渉を起こすサブフレームの数が大きいことが分かる。したがって、隣接するｅＮｏｄｅＢで異なるＴＤＤのコンフィギュレーションを使用するとき、隣接するｅＮｏｄｅＢがそれぞれ使用するコンフィギュレーションが１と３、３と２、又は、２と４のうちいずれかの組み合わせになると、干渉が大きく、問題になるということができる。
【００５２】
なお、比較のため、上述したコンフィギュレーションの並べ替えを行なわず、図２３中で上下に隣接するコンフィギュレーションの間でアップリンクとダウンリンクの不一致が起きるサブフレームを、太線で囲って図３に示している。また、図２０中で上下に隣接するコンフィギュレーションの間で（すなわち、シリアル番号で０と６、６と１、１と３、３と２、２と４、４と５の各コンフィギュレーションの組み合わせで）、干渉を起こすサブフレームの数を、以下の表４に示す。
【００５３】
【表４】
2012249119.tif 000006
【００５４】
表４を参照すると、隣接するセルにおいて、シリアル番号で、２と３、５と６の組み合わせのコンフィギュレーションを使用するときに、干渉を起こすサブフレームの数が大きいことが分かる。また、図２と図３、並びに、表３と表４を比較すると、ダウンリンクのサブフレーム数が増加する順番で、且つ、アップリンクのサブフレーム数が減少する順番にコンフィギュレーションの並べ替えを行なうことによって、干渉を起こすサブフレームの数は減少する。また、並べ替えにより、隣接するコンフィギュレーション間で干渉を起こすサブフレームの最大数も減少するので、セルのスループットが大幅に低下することはない、ということもできる。
【００５５】
表３を再び参照すると、ダウンリンクのサブフレーム数が増加する順番で、且つ、アップリンクのサブフレーム数が減少する順番にコンフィギュレーションの並べ替えを行なうと、シリアル番号で、１と３、３と２、２と４のコンフィギュレーションの組み合わせで、干渉を生じるサブフレームの数が大きくなる。ＩＣＩＣとしてＡＢＳを用いると、干渉を生じているサブフレームにおいて、隣接するｅＮｏｄｅＢのどちらか一方が送信を停止することを行なう。したがって、隣接するｅＮｏｄｅＢで１と３、３と２、２と４のいずれかのコンフィギュレーションの組み合わせを使用すると、セルのスループットが大幅に低下する。
【００５６】
図１並びに表２では、ダウンリンクのサブフレーム数が増加する順番で、且つ、アップリンクのサブフレーム数が減少する順番で、ＬＴＥ（ＴＳ３６．２１１  Ｔａｂｌｅ  ４．２−２）で定義されているＴＤＤの７つのコンフィギュレーション０〜６の並べ替えを行なった結果を示している。ここで、ダウンリンクのサブフレーム数が増加する順番を保ちながら、アップリンクのサブフレーム数が減少する順番でなくなることを許容して、コンフィギュレーション０〜６の並べ替えを行なってみた。具体的には、図４並びに以下の表５に示すように、図１並びに表２において、ダウンリンクのサブフレーム数が同じであるコンフィギュレーション２と３の入れ替えを行なった。
【００５７】
【表５】
2012249119.tif 000007
【００５８】
図５には、図４中で上下に隣接するコンフィギュレーションの間で、アップリンクとダウンリンクの不一致が起きるサブフレームを太線で囲って示している。また、以下の表６には、図４中で上下に隣接するコンフィギュレーションの間で（すなわち、シリアル番号で０と６、６と１、１と２、２と３、３と４、４と５の各コンフィギュレーションの組み合わせで）、干渉を起こすサブフレームの数を示す。
【００５９】
【表６】
2012249119.tif 000008
【００６０】
図２と図５、並びに、表３と表６を比較すると、ダウンリンクのサブフレーム数が増加する順番を維持しながら、アップリンクのサブフレーム数が減少する順番でなくなることを許容して、コンフィギュレーション０〜６の並べ替えを行なうことによって、干渉を起こすサブフレームの数はさらに減少する。但し、表６を参照すると、隣接するｅＮｏｄｅＢにおいてコンフィギュレーション２と３の組み合わせを使用するとき、依然として干渉を起こすサブフレームの数が４個と大きいことが分かる。
【００６１】
ここまでは、隣接するｅＮｏｄｅＢで異なるＴＤＤのコンフィギュレーションを使用する際に、無線フレームにおいて干渉を生じるサブフレームはどこか、という点に着目して議論してきた。以下では、干渉が生じているサブフレームでどのように干渉を避けるかについて、さらに考察してみる。
【００６２】
干渉が生じたときに、干渉を与えている送信機の送信出力を調整する、あるいは、送信機の送信を止めてしまう、サブキャリアを周波数方向に分割して多重する、などの方法により干渉を除去する技術が従来から知られている。これに対し、本明細書で開示する実施形態では、干渉を除去する方法自体には着目していない。例えば、３ＧＰＰのＲｅｌ１０では、隣接セル間での干渉の影響を低減するために、インターセル・インターフェアレンス・コーディネーション（ＩｎｔｅｒＣｅｌｌ  Ｉｎｔｅｒｆｅｒｅｎｃｅ  Ｃｏｏｒｄｉｎａｔｉｏｎ：ＩＣＩＣ）として、Ａｌｍｏｓｔ  Ｂｌａｎｋ  Ｓｕｂｆｒａｍｅ（ＡＢＳ）が規定されている。以下では、ＡＢＳを用いてさらに干渉を回避する方法について考察する。
【００６３】
ＡＢＳは、ユーザー・データの送信を停止する方法であり、例えば干渉を与えてしまうｅＮｏｄｅＢの特定のサブフレームをＡＢＳにする。ユーザー・データの送信を停止しても、リファレンス信号が若干残っている。このリファレンス信号自体も停止する方法も提案されている。結局は、ＡＢＳは、干渉を与えてしまう場合には、送信を停止するというシンプルな干渉回避方法である。３ＧＰＰのＲｅｌ１１で検討されるであろうＴＤＤのＩＣＩＣにおいても、ＡＢＳを使用する可能性が高いと思料される。
【００６４】
上述したように、図５は、ＬＴＥ（ＴＳ３６．２１１  Ｔａｂｌｅ  ４．２−２）で定義されているＴＤＤの７つのコンフィギュレーション０〜６を、ダウンリンクのサブフレーム数が緩やかに増加するように並べ替えて示している。また、同図は、ｅＮｏｄｅＢの観点から描いたものである。
【００６５】
また、上述したように、ＴＤＤでは、ダウンリンクとアップリンクの切り換え時間を確保する必要がある。このため、サブフレームの割り当てをダウンリンクからアップリンクへ切り替える際に、ガードタイムとしてスペシャル・サブフレームが挿入される。
【００６６】
図６には、コンフィギュレーション０を、ｅＮｏｄｅＢ側の立場に立って描き直している。ｅＮｏｄｅＢのダウンリンク信号は、空間での伝搬遅延と、ＵＥ内での処理遅延があるために、ＵＥでダウンリンク信号を受信完了するまで、フォーマットのダウンリンクの位置よりも遅延する。一方、ＵＥからのアップリンク信号が、フォーマットのアップリンクの位置までにｅＮｏｄｅＢに到達するようにするためには、ＵＥはフォーマットのアップリンクの位置よりも前もってアップリンク信号の送信を開始する必要がある。図示のように、スペシャル・サブフレームは、ダウンリンク信号の遅延分による領域ＤｗＰＴＳと、アップリンク信号を前倒しで送信する分の領域ＵｐＰＴＳと、これらの領域の間隙（Ｇａｐ  ｐｅｒｉｏｄ）として定義される。
【００６７】
さらに、図７には、ダウンリンク信号の遅延分とアップリンク信号を前倒しで送信する分を考慮して、端末側の立場に立って、図５に示した各コンフィギュレーションを描き直している。また、図８には、図７中で上下に隣接するコンフィギュレーションの間で、アップリンクとダウンリンクの不一致が起きるサブフレームを太線で囲って示している。
【００６８】
ＡＢＳを用いて端末側の干渉を回避する場合、どの部分の送信や受信を停止すべきかが明確でない。また、無駄にＡＢＳする箇所を増やすと、システム全体のスループットを低下させてしまう。単純には、以下の（１）〜（６）のうちいずれかを使い分けることによって、図８中の太線で囲って示した部分の干渉を回避することができる。
【００６９】
（１）干渉を起こしたダウンリンクのサブフレームをすべてＡＢＳにする。
（２）干渉を起こしたアップリンクのサブフレームをすべてＡＢＳにする。
（３）干渉を起こしたアップリングのサブフレームの前半で、ＵＥからの送信を停止する。
（４）干渉を起こしたアップリンクのサブフレームの後半で、ＵＥからの送信を停止する。
（５）干渉を起こしたダウンリンクのサブフレームの前半でＵＥの受信を停止する。
（６）干渉を起こしたダウンリンクのサブフレームの後半でＵＥの受信を停止する。
【００７０】
また、基地局側でのＡＢＳの設定と端末側でのＡＢＳの設定が整合していないと、無駄なＡＢＳを適用することから、システム全体のスループットが低下する。
【００７１】
図５は、基地局側の立場に立って、アップリンクとダウンリンクの不一致が起きるサブフレームを太線で囲って示したものである。同図を参照すると、基地局側で干渉を起こしているサブフレームにおいて干渉を回避できるは、アップリンク又はダウンリンクのいずれか一方のサブフレームをすべてに対して受信を停止し又は送信を停止する場合だけである。言い換えれば、基地局側で干渉を回避するには、干渉を起こしたサブフレームのすべてにＡＢＳを適用しなければならない。
【００７２】
一方、端末側で干渉を回避するには、図８からも分かるように、干渉を起こしたサブフレームのすべてにＡＢＳを適用する場合の他、サブフレームの前半だけＡＢＳを適用すれば済む場合や、サブフレームの後半だけＡＢＳを適用すれば済む場合もある。
【００７３】
要言すれば、基地局間の干渉を低減したいのか、端末間の干渉を低減したいのか、基地局及び端末の双方において干渉を低減したいのかによって、ＡＢＳを適用する最適な場所は異なるはずである。
【００７４】
基地局側の干渉を低減したい場合、例えば、図５中の太線で囲んだ、基地局側で干渉を起こす各部分において、ダウンリンク又はアップリンクのうちいずれか一方のサブフレームにＡＢＳを適用すればよい。図９には、図５で隣接するコンフィギュレーションの間で干渉することが特定されたサブフレームで、ダウンリンクの基地局の送信を停止することによって干渉を避ける様子を示している。同図では、ダウンリンクの基地局の送信を停止する（すなわち、ＡＢＳを配置した）箇所を斜線で示している。
【００７５】
また、端末側の干渉を低減したい場合、例えば、図８中の太線で囲んだ、端末側で干渉を起こす各部分において、端末の送受信のどちらか一方を停止すればよい。
【００７６】
また、基地局及び端末側の両方の干渉を低減したい場合には、基本的には、基地局間の干渉を低減するときと同じ部分を停止すればよい。図１０には、端末側の立場に立って干渉部分を示した図８と、基地局側の立場に立って干渉部分を示した図５を、それぞれ図中の上段と下段に示している。図１０から、干渉を起こすサブフレーム番号は、基地局、端末のいずれに立場にたっても変わらないことが分かる。よって、上記の通り、基地局間の干渉を低減するときと同じ部分を停止すればよいことになる。
【００７７】
上述した、基地局間、端末間、基地局及び端末間の両方のうちいずれにおいて干渉を考慮すべきかを、セルラー通信システムの運用形態に応じて選択する必要がある。例えば、基地局間は離れているが、その各基地局のセルに収容されている端末間は距離が近いという状況では、端末間の干渉を低減すべきである。という選択が必要になる。一方、２つのＨｏｍｅ  ｅＮｏｄｅＢ間の距離が近いが、各々のセルに収容された端末同士は遠い場合や、端末の送信電力が弱いので問題がない場合は、基地局間の干渉だけを考慮すればよい。
【００７８】
但し、基地局間の干渉だけを考慮することと、基地局間と端末間の両方の干渉を考慮することは、結果的に同じである。図１０からも分かるように、端末間の干渉のみを考慮すると、サブフレームの前半又は後半で部分的に端末の送信又は受信を停止すれば済む場合もあるが、基地局間の干渉を考慮するとサブフレーム全体にわたり送信又は受信を停止しなければならないからである。
【００７９】
図８を再び参照して、端末側の立場に立って干渉について検討する。コンフィギュレーション２のアップリンクに割り当てられたサブフレーム＃７は、隣接するコンフィギュレーション３の、ダウンリンクに割り当てられたサブフレーム＃６の後半、及び、サブフレーム＃７の前半に干渉を与える。このように１つのサブフレームが２つのサブフレームに干渉を与えるのは問題である。
【００８０】
このように１つのサブフレームが２つのサブフレームに干渉を場合には、その１つのサブフレームにＡＢＳを適用して、送信若しくは受信を停止することが望ましい。図８に示した例では、コンフィギュレーション２を使用するセル内では、アップリンクに割り当てられたサブフレーム＃７において、端末の送信を停止する。これによって、コンフィギュレーション３を使用する隣接セル側では、ダウンリンクに割り当てられたサブフレーム＃６及び＃７において、端末はダウンリンク信号を受信可能となる。
【００８１】
図１１には、ダウンリンク信号のフォーマットを模式的に示している。同図において、縦軸はシステム帯域幅、横軸は時間軸で、１４ＯＦＤＭシンボル分の１ミリ秒に相当する。図示のように、斜線で示すダウンリンク信号の前半部分に、基地局からの制御信号ＰＤＣＣＨ（Ｐｈｙ  Ｄｏｗｎｌｉｎｋ）が挿入され、ユーザー・データとして使うＰＤＳＣＨ（Ｐｈｙ  Ｄｏｗｎｌｉｎｋ  Ｓｈａｒｅｄ  Ｃｈａｎｎｅｌ）がこれに続く。このため、上述した端末側の干渉回避方法のうち、「干渉を起こしたダウンリンクのサブフレームの前半でＵＥの受信を停止する」を適用すると、端末は、基地局からの制御信号を取得できなくなり、問題である。
【００８２】
また、図１２には、アップリンク信号のフォーマットを模式的に示している。同図において、縦軸はシステム帯域幅、横軸は時間軸である。図示のように、アップリンク信号では、システム帯域幅の真ん中部分をユーザー・データとして使うＰＵＳＣＨ（Ｐｈｙ  Ｕｐｌｉｎｋ  Ｓｈａｒｅｄ  Ｃｈａｎｎｅｌ）に割り当て、斜線で示す両端部分を制御信号として使うＰＵＣＣＨ（Ｐｈｙ  Ｕｐｌｉｎｋ  Ｃｏｎｔｒｏｌ  Ｃｈａｎｎｅｌ）に割り当てている。但し、同じ斜線模様を示す部分ＰＵＣＣＨ＃１、ＰＵＣＣＨ＃２はそれぞれ同じデータであることを表している。各端部の前半部分及び後半部分にＰＵＣＣＨ＃１、ＰＵＣＣＨ＃２を交互に配置することで、ダイバーシティー効果を得るようにしている。
【００８３】
図８を再び参照して、端末側の立場に立って干渉について検討する。コンフィギュレーション６のアップリンクに割り当てられたサブフレーム＃４の後半部分は、隣接するコンフィギュレーション１のダウンリンクに割り当てられたサブフレーム＃４の前半部分と干渉を起こしている。
【００８４】
図１３には、ダウンリンク信号の前半部分のみが干渉を受ける場合、隣接セルのアップリンク信号の後半のみと干渉している様子を示している。上述したように、端末がダウンリンクのサブフレームの前半で受信を停止すると、基地局からの制御信号ＰＤＣＣＨを取得できなくなり、問題である。したがって、図１４に示すように、アップリンク信号の後半にＡＢＳを設定するようなフォーマットが、干渉を回避する適切な方法となる。
【００８５】
なお、端末にとっては、ダウンリンク信号は、空間での伝搬遅延及び端末内での処理遅延により、受信完了するまでの遅延分がある一方、アップリンク信号は、フォーマットのアップリンクの位置までに基地局に到達するために前倒して送信しなければならない（図２２を参照のこと）。ダウンリンク信号の遅延分と、アップリンク信号の前倒し分は、基地局から当該端末までの位置と、端末の送信遅延や受信遅延により換わってくる。上述のように端末側でサブフレームに部分的にＡＢＳを設定する場合、この遅延などの最大値と最小値をあらかじめ決定しておく必要がある。
【００８６】
干渉を回避するためにサブフレームにＡＢＳを設定する場合、ダウンリンクのサブフレームにのみＡＢＳを配置するのではなく、アップリンク又はダウンリンクのいずれかのサブフレームに柔軟にＡＢＳを配置することが好ましい。何故ならば、ダウンリンクのサブフレームにのみＡＢＳを配置すると、特定のコンフィギュレーションにＡＢＳが集中してスループットが低下するからである。
【００８７】
図１２には、アップリンク信号のフォーマットを示した。上述したように、システム帯域幅の真ん中部分をユーザー・データとして使うＰＵＳＣＨに割り当てるとともに、斜線で示す両端部分を制御信号として使うＰＵＣＣＨに割り当てている。アップリンク信号の送信を停止する場合でも、ＰＵＣＣＨは制御信号であるので、なるべく停止したくない。
【００８８】
そこで、アップリンクに割り当てたサブフレームにＡＢＳを設定する場合であっても、ＰＵＣＣＨの部分は停止しないようにする。干渉を起こすダウンリンクのサブフレームの、システム帯域幅の両端部分のデータを使用しないようにＡＢＳを設定することで、ＰＵＣＣＨの部分は停止しないようにすることができる。
【００８９】
図１５には、基地局の立場に立って、アップリンクに割り当てたサブフレーム全体にわたり、ＰＵＣＣＨの部分は停止しないようにＡＢＳを設定する例を示している。図示のように、アップリンク信号のシステム帯域幅の両端の制御信号として使うＰＵＣＣＨを除く、真ん中部分のユーザー・データとして使うＰＵＳＣＨの部分にＡＢＳを設定する。また、このアップリンク信号とは干渉するダウンリンクに割り当てたサブフレーム全体にわたり、システム帯域幅の両端部分を使用しないようにＡＢＳを設定する。これによって、アップリンクに割り当てたサブフレームのＰＵＣＣＨの部分での受信は停止しないようにすることができる。
【００９０】
また、図１６には、端末の立場に立って、アップリンクに割り当てたサブフレームの後半だけに、ＰＵＣＣＨの部分は停止しないようにＡＢＳを設定する例を示している。図示のように、アップリンク信号の後半部分において、システム帯域幅の制御信号として使うＰＵＣＣＨを除く、真ん中部分のユーザー・データとして使うＰＵＳＣＨの部分にＡＢＳを設定する。このアップリンク信号とは干渉するダウンリンクに割り当てたサブフレームの前半部分において、システム帯域幅の両端部分のデータを使用しないようにＡＢＳを設定する。これによって、アップリンクに割り当てたサブフレームのＰＵＣＣＨの部分は停止しないようにすることができる。
【００９１】
また、図１７には、端末の立場に立って、アップリンクに割り当てたサブフレームの前半だけに、ＰＵＣＣＨの部分は停止しないようにＡＢＳを設定する例を示している。図示のように、アップリンク信号の前半部分において、システム帯域幅の制御信号として使うＰＵＣＣＨを除く、真ん中部分のユーザー・データとして使うＰＵＳＣＨの部分にＡＢＳを設定する。このアップリンク信号とは干渉するダウンリンクに割り当てたサブフレームの後半部分において、システム帯域幅の両端部分のデータを使用しないようにＡＢＳを設定する。これによって、アップリンクに割り当てたサブフレームのＰＵＣＣＨの部分は停止しないようにすることができる。
【００９２】
ここで、図１５を再び参照すると、ダウンリンクのサブフレームの前半部分において、システム帯域幅の両端部分のデータを使用しないようにＡＢＳを設定すると、ダウンリンク信号の前半に挿入されているＰＤＣＣＨのシステム帯域幅の両端部分を送信できなくなってしまい、問題となる。
【００９３】
図１８には、図１５の代替案を図解している。アップリンク信号のシステム帯域幅の両端の制御信号として使うＰＵＣＣＨを除く、真ん中部分のユーザー・データとして使うＰＵＳＣＨの部分にＡＢＳを設定する。さらに、アップリンク信号のシステム帯域幅の両端のＰＵＵＣＨのうち、ダウンリンク信号のＰＤＣＣＨと重なり合う部分にもＡＢＳを設定する。一方、このアップリンク信号とは干渉するダウンリンクのサブフレームのうち、ユーザー・データとして使うＰＤＳＣＨのシステム帯域幅の両端部分を使用しないようにＡＢＳを設定する。これによって、アップリンクに割り当てたサブフレームのＰＵＣＣＨの部分、並びに、ダウンリンクに割り当てたサブフレームのＰＤＣＣＨの部分は停止しないようにすることができる。アップリンク信号では、ＰＵＣＣＨとして同じ情報が２回送られてくる。したがって、上述のようにＰＵＣＣＨの前半部分においてシステム帯域幅の両端部分を使用しないようにＡＢＳを設定しても、ダイバーシティー効果は低下するものの、基地局においてＰＵＣＣＨを受信可能である。
【００９４】
以上説明してきたような、セルラー通信システムにおけるコンフィギュレーションの設定や、いずれかのコンフィギュレーションを使用する各セルにおけるＡＢＳの設定は、現実には、コアネットワーク系装置であるＭＭＥ（Ｍｏｂｉｌｅ  Ｍａｎａｇｅｍｅｎｔ  Ｅｎｔｉｔｙ）が行なう。
【００９５】
ＭＭＥは、例えば、図２３に示したＬＴＥ（ＴＳ３６．２１１  Ｔａｂｌｅ  ４．２−２）で定義されているＴＤＤの７つのコンフィギュレーション０〜６を、上述したような手順で再配列する処理を行ない、図１（表２）、図４（表５）などに示す配列を得て、それをテーブルなどに保持しておく。また、ＭＭＥは、隣接するセルで異なるコンフィギュレーションを設定したときの各サブフレームのＡＢＳ設定を行ない、ＡＢＳ設定箇所の情報を保持しておく。あるいは、コンフィギュレーションの再配列処理はＭＭＥ以外の装置で行ない、ＭＭＥは、外部の装置から与えられた、図１（表２）、図４（表５）などに示す配列を記述したテーブルを保持している。そして、ＭＭＥは、このようなテーブルを参照して、各基地局（ｅＮｏｄｅＢ）に対してセルで使用するコンフィギュレーションを割り当てる。また、隣接するセルで異なるコンフィギュレーションを設定したときの各サブフレームのＡＢＳ設定もＭＭＥ以外の装置で行ない、ＭＭＥは得られたＡＢＳ設定の情報を保持するだけでもよい。
【００９６】
本明細書で開示する技術を適用したセルラー通信システムでは、ＴＤＤのコンフィギュレーションは、ある程度スタティックな設定であることを想定している。つまり、一度設定したら１年程度は同じ設定でシステムが運用される。基本的には、オペレーターが、設計したＴＤＤの環境をＭＭＥ経由でｅＮｏｄｅＢに設定する。そして、ｅＮｏｄｅＢは、その情報をシステム情報若しくは専用のシグナリングで、セルに収容した各端末（ＵＥ）に設定することを想定している。しかしながら、Ｈｅｔ−Ｎｅｔ（Ｈｅｔｅｒｏｇｅｎｅｏｕｓ  Ｎｅｔｗｏｒｋ）の環境が進展して、トラフィックの変動に対してダイナミックにＴＤＤのコンフィギュレーションを通商させるようなシステムが今後出現する可能性も否定できない。
【００９７】
図１９には、本明細書で開示する技術を適用したセルラー通信システムにおいて、基地局（ｅＮｏｄｅＢ）として動作する通信装置の機能的構成を模式的に示している。
【００９８】
コンフィギュレーション保持部１９０７は、ＭＭＥ（図示しない）からの制御信号によって設定された、自セルで使用するＴＤＤのコンフィギュレーションに関する情報を保持している。また、ＡＢＳ設定箇所保持部１９０８は、上記の自セルで使用するコンフィギュレーションにおいて、ＭＭＥからの制御信号によって設定された、ＡＢＳを行なうサブフレームの箇所を保持している。
【００９９】
なお、基地局は、ＭＭＥからの制御信号によって自セル内で使用するコンフィギュレーションを設定するのではなく、基地局自身がセルで使用するコンフィギュレーションを設定し、これをコンフィギュレーション保持部１９０７で保持するようにしてもよい。例えば、基地局は、図１（表２）、図４（表５）などに示す配列を記述したテーブルを自ら保持しており、さらに隣接するセルで使用しているコンフィギュレーションを基地局間通信などによって取得すると、テーブルを参照して基地局自身がセルで使用するコンフィギュレーションを設定することができる。
【０１００】
また、基地局は、ＭＭＥからの制御信号によって自セル内でＡＢＳを行なうサブフレームの箇所を設定するのではなく、基地局自身が自セル内の各サブフレームでＡＢＳを行なうべきかどうかを判定し、その判定結果をＡＢＳ設定箇所保持部１６０８で保持するようにしてもよい。例えば、基地局は、図１（表２）、図４（表５）などに示す配列を記述したテーブルを自ら保持しており、さらに隣接するセルで使用しているコンフィギュレーションを基地局間通信などによって取得すると、テーブルを参照し自セルで使用するコンフィギュレーションと比較して、自セル内の各サブフレームでＡＢＳを行なうべきかどうかを判定し、その判定結果をＡＢＳ設定箇所保持部１９０８で保持する。
【０１０１】
基地局は、コンフィギュレーション保持部１９０７で保持しているＴＤＤのコンフィギュレーションに従って、無線フレームの各サブフレームにおいて、アップリンク又はダウンリンクの通信を行なう。
【０１０２】
基地局は、自セル内の端末（ＵＥ）へダウンリンクで送信するユーザー・データを、サービング・ゲートウェイから受け取る。ＡＢＳ挿入部１９０５は、ＰＤＣＣＨ（Ｐｈｙ  Ｄｏｗｎｌｉｎｋ  Ｃｏｎｔｒｏｌ  Ｃｈａｎｎｅｌ：物理層ダウンリンク制御チャネル）及びＰＤＳＣＨ（Ｐｈｙ  Ｄｏｗｎｌｉｎｋ  Ｓｈａｒｅｄ  Ｃｈａｎｎｅｌ：物理層ダウンリンク共用チャネル）の各々において、ＡＢＳ設定箇所保持部１９０８で保持しているサブフレームの箇所でＡＢＳを挿入する。
【０１０３】
ＤＡ変換部１９０３は、ディジタル送信信号をアナログ送信信号に変換する。そして、ＲＦ送受信部１９０２は、アナログ送信信号をＲＦ帯にアップコンバートし、さらに電力増幅して、アンテナ１９０１を介して空間に放出する。
【０１０４】
また、基地局は、端末（ＵＥ）から送信されたアップリンク信号をアンテナ１９０１で受信すると、ＲＦ送受信部１９０２は、低雑音増幅するとともにダウンコンバートし、ＡＤ変換部１９０４はディジタル変換する。
【０１０５】
ＡＢＳ検出部１９０６は、ディジタル変換した後のアップリンク信号から、ＰＵＣＣＨ（Ｐｈｙ  Ｕｐｌｉｎｋ  Ｃｏｎｔｒｏｌ  Ｃｈａｎｎｅｌ：物理層アップリンク制御チャネル）及びＰＵＳＣＨ（Ｐｈｙ  Ｕｐｌｉｎｋ  Ｓｈａｒｅｄ  Ｃｈａｎｎｅｌ：物理層アップリンク共用チャネル）の各々において、ＡＢＳ設定箇所保持部１９０８で保持しているサブフレームの箇所でＡＢＳを検出する。
【０１０６】
また、図２０には、本明細書で開示する技術を適用したセルラー通信システムにおいて、端末（ＵＥ）として動作する通信装置の機能的構成を模式的に示している。
【０１０７】
端末（ＵＥ）は、自局を配下におく基地局（ｅＮｏｄｅＢ）からシグナリングを通じてＴＤＤのコンフィギュレーションに関する情報が通知されると、コンフィギュレーション保持部２００７で保持する。また、当該セル内で使用されるコンフィギュレーションにおいてＡＢＳを行なうサブフレームの箇所が、基地局からシグナリングを通じて通知されると、ＡＢＳ設定箇所保持部２００８で保持する。
【０１０８】
端末は、コンフィギュレーション保持部２００７で保持しているＴＤＤのコンフィギュレーションに従って、無線フレームの各サブフレームにおいて、アップリンク又はダウンリンクの通信を行なう。
【０１０９】
端末は、基地局へアップリンクで送信するユーザー・データを、アプリケーションなどの上位層から受け取る。ＡＢＳ挿入部２００５は、ＰＵＣＣＨ及びＰＵＳＣＨの各々において、ＡＢＳ設定箇所保持部２００８で保持しているサブフレームの箇所でＡＢＳを挿入する。
【０１１０】
ＤＡ変換部２００３は、ディジタル送信信号をアナログ送信信号に変換する。そして、ＲＦ送受信部２００２は、アナログ送信信号をＲＦ帯にアップコンバートし、さらに電力増幅して、アンテナ２００１を介して空間に放出する。
【０１１１】
また、端末は、基地局から送信されたダウンリンク信号をアンテナ２００１で受信すると、ＲＦ送受信部２００２は、低雑音増幅するとともにダウンコンバートし、ＡＤ変換部２００４はディジタル変換する。
【０１１２】
ＡＢＳ検出部２００６は、ディジタル変換した後のアップリンク信号から、ＰＤＣＣＨ及びＰＤＳＣＨの各々において、ＡＢＳ設定箇所保持部２００８で保持しているサブフレームの箇所でＡＢＳを検出する。
【０１１３】
なお、本明細書の開示の技術は、以下のような構成をとることも可能である。
（１）無線フレーム内におけるサブフレーム毎のアップリンクとダウンリンクへの割り当ての異なる複数のコンフィギュレーションが定義されたセルラー通信システムにおいて、隣接するセルで異なるコンフィギュレーションを使用するときに、前記隣接するセル間でコンフィギュレーションを切り替えるコンフィギュレーション切り換えステップと、前記コンフィギュレーション切り換えステップによりコンフィギュレーションを切り替えた隣接セル間でアップリンクとダウンリンクの不一致が起きるサブフレームにおいて、前記隣接セル間の干渉を回避する干渉回避ステップと、を有する無線リソース割当方法。
（２）前記干渉回避ステップでは、前記のコンフィギュレーションを切り替えた各隣接セルの基地局間でアップリンクとダウンリンクの不一致が起きるサブフレームにおいて、ダウンリンクのサブフレーム全体で基地局からの送信を停止し、又は、アップリンクのサブフレーム全体で基地局の受信を停止する、上記（１）に記載の無線リソース割当方法。
（３）前記干渉回避ステップでは、前記のコンフィギュレーションを切り替えた各隣接セルの端末間でアップリンクとダウンリンクの不一致が起きるサブフレームにおいて、ダウンリンクのサブフレームの前記不一致となる部分で端末の受信を停止し、又は、アップリンクのサブフレームの前記不一致となる部分で端末からの送信を停止する、上記（１）に記載の無線リソース割当方法。
（４）前記干渉回避ステップでは、前記のコンフィギュレーションを切り替えた一方のセル内の端末の１つのサブフレームが他方のセル内の端末の２つのサブフレームと不一致が起きる場合に、前記一方のセル内の端末の１つのサブフレームで送信又は受信を停止する、上記（１）に記載の無線リソース割当方法。
（５）前記セルラー通信システムでは、ダウンリンク信号の前半部分に制御信号ＰＤＣＣＨが割り当てられるとともに、アップリンク信号のシステム帯域幅の両端部分が制御信号ＰＵＣＣＨに割り当てられ、前記干渉回避ステップでは、前記のコンフィギュレーションを切り替えた隣接セル間でアップリンクとダウンリンクの不一致が起きるサブフレームにおいて、前記制御信号ＰＤＣＣＨ及び前記制御信号ＰＵＣＣＨにおいて送受信を停止しないようにしながら、前記隣接セルの基地局間又は端末間での干渉を回避する、上記（１）乃至（４）のいずれかに記載の無線リソース割当方法。
（６）前記干渉回避ステップでは、前記のコンフィギュレーションを切り替えた各隣接セルの基地局間でアップリンクとダウンリンクの不一致が起きるサブフレームにおいて、前記の不一致が起きるダウンリンクのサブフレーム全体にわたりシステム帯域幅の両端の前記制御信号ＰＵＣＣＨに割り当てられた部分での基地局からの送信を停止するとともに、前記の不一致が起きるアップリンクのサブフレーム全体にわたりシステム帯域の中央の前記制御信号ＰＵＣＣＨが割り当てられていない部分における基地局の受信を停止する、上記（５）に記載の無線リソース割当方法。
（７）前記干渉回避ステップでは、前記のコンフィギュレーションを切り替えた各隣接セルの端末間でアップリンクとダウンリンクの不一致が起きるサブフレームにおいて、ダウンリンクのサブフレームの前記の不一致が起きる部分のうちシステム帯域幅の両端の前記制御信号ＰＵＣＣＨに割り当てられた部分で端末の受信を停止するとともに、アップリンクのサブフレームの前記の不一致が起きる部分のシステム帯域幅の中央の前記制御信号ＰＵＣＣＨが割り当てられていない部分における端末からの送信を停止する、上記（５）に記載の無線リソース割当方法。
（８）前記の不一致が起きるダウンリンクのサブフレームのうちシステム帯域幅の両端の前記制御信号ＰＵＣＣＨに割り当てられた部分であっても、基地局は前記制御信号ＰＤＣＣＨが割り当てられた部分では送信を停止せず、前記の不一致が起きるアップリンクのサブフレームのシステム帯域幅の両端のうち隣接セルで前記制御信号ＰＵＣＣＨに割り当てられた部分では基地局の受信を停止する、上記（６）に記載の無線リソース割当方法。
（９）前記複数のコンフィギュレーションを、ダウンリンクのサブフレームが増加する順番で、且つ、アップリンクのサブフレーム数が減少する順番にコンフィギュレーションの順番を並べ替える再配列ステップをさらに有し、前記コンフィギュレーション切り換えステップでは、前記セルラー通信システムにおいて隣接するセルで異なるコンフィギュレーションを使用するときに、前記再配列ステップで並べ替えた順番に従って前記隣接するセル間でコンフィギュレーションを切り替える、上記（１）乃至（８）のいずれかに記載の無線リソース割当方法。
（１０）前記再配列ステップでは、前記複数のコンフィギュレーションを、ダウンリンクのサブフレームが増加する順番を保ちながら、アップリンクのサブフレーム数が減少する順番でなくなることを許容して、隣接するコンフィギュレーション間でのアップリンクとダウンリンクの不一致が起きるサブフレーム数が減少するように、少なくとも一部のコンフィギュレーションの順番をさらに並べ替える、上記（９）に記載の無線リソース割当方法。
（１１）無線フレーム内におけるサブフレーム毎のアップリンクとダウンリンクへの割り当ての異なる複数のコンフィギュレーションが定義されたセルラー通信システムにおいて、隣接するセルで異なるコンフィギュレーションを使用するときに、前記隣接するセル間でコンフィギュレーションを切り替えるコンフィギュレーション切り換え部と、前記コンフィギュレーション切り換え部によりコンフィギュレーションを切り替えた隣接セル間でアップリンクとダウンリンクの不一致が起きるサブフレームにおいて、前記隣接セル間の干渉を回避する干渉回避部と、を具備する無線リソース割当装置。
（１２）無線フレーム内におけるサブフレーム毎のアップリンクとダウンリンクへの割り当ての異なる複数のコンフィギュレーションが定義されたセルラー通信システムにおいて、隣接するセルで異なるコンフィギュレーションを使用するときに、前記隣接するセル間でコンフィギュレーションを切り替え、前記のコンフィギュレーションを切り替えた隣接セル間でアップリンクとダウンリンクの不一致が起きるサブフレームにおいて、前記隣接セル間の干渉を回避する、通信システム。
【産業上の利用可能性】
【０１１４】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１１５】
本明細書では、３ＧＰＰが策定したＬＴＥに従うセルラー通信システムに適用した実施形態を中心に説明してきたが、本明細書で開示する技術の要旨はこれに限定されるものではない。無線フレーム内におけるサブフレーム毎のアップリンクとダウンリンクへの割り当ての異なる複数のコンフィギュレーションが定義されたさまざまなセルラー通信システムに、同様に本技術を適用して、隣接するセルで異なるコンフィギュレーションを使用する際のアップリンクとダウンリンクの不一致による干渉を回避することができる。
【０１１６】
要するに、例示という形態で本技術を開示してきたのであり、本明細書の記載内容を限定的に解釈するべきではない。本技術の要旨を判断するためには、特許請求の範囲を参酌すべきである。
【符号の説明】
【０１１７】
１９０１…アンテナ
１９０２…ＲＦ送受信部
１９０３…ＤＡ変換部
１９０４…ＡＤ変換部
１９０５…ＡＢＳ挿入部
１９０６…ＡＢＳ検出部
１９０７…コンフィギュレーション保持部
１９０８…ＡＢＳ設定箇所保持部
２００１…アンテナ
２００２…ＲＦ送受信部
２００３…ＤＡ変換部
２００４…ＡＤ変換部
２００５…ＡＢＳ挿入部
２００６…ＡＢＳ検出部
２００７…コンフィギュレーション保持部
２００８…ＡＢＳ設定箇所保持部
【図１】
2012249119.tif 000009
【図２】
2012249119.tif 000010
【図３】
2012249119.tif 000011
【図４】
2012249119.tif 000012
【図５】
2012249119.tif 000013
【図６】
2012249119.tif 000014
【図７】
2012249119.tif 000015
【図８】
2012249119.tif 000016
【図９】
2012249119.tif 000017
【図１０】
2012249119.tif 000018
【図１１】
2012249119.tif 000019
【図１２】
2012249119.tif 000020
【図１３】
2012249119.tif 000021
【図１４】
2012249119.tif 000022
【図１５】
2012249119.tif 000023
【図１６】
2012249119.tif 000024
【図１７】
2012249119.tif 000025
【図１８】
2012249119.tif 000026
【図１９】
2012249119.tif 000027
【図２０】
2012249119.tif 000028
【図２１】
2012249119.tif 000029
【図２２】
2012249119.tif 000030
【図２３】
2012249119.tif 000031
【図２４】
2012249119.tif 000032
【図２５】
2012249119.tif 000033
【図２６】
2012249119.tif 000034